(57)【特許請求の範囲】
【請求項１】
一側本体１０と他側本体１１をヒンジ１２で開閉自在に連結した平面方向一側部の平面形状がほぼ半円形の装置本体１と、この装置本体１内に設けた送風機２、薬剤３、電池４を備えた送風式薬剤拡散装置において、
前記一側本体１０は、外殻１７と、この外殻１７内に嵌め込んで取り付けた内殻１８と、この内殻１８に取り付けた内面板１９を備え、
前記外殻１７は表面板１７ａと側面板１７ｂで平面方向一側部の平面形状がほぼ半円形の皿形状で、
前記内殻１８は基板１８ａと側面板１８ｂで、平面方向一側部と中間部とに亘って平面形状が円形の送風機取付用凹部１３を有し、かつその基板１８ａにおける送風機取付用凹部１３を形成する部分には前記表面板１７ａに向けて開口した凹部５３を有し、
前記内殻１８の平面方向他側部と前記外殻１７の平面方向他側部とで前記送風機取付用凹部１３と平面方向に離隔した電池収容凹部１５を形成し、
前記内面板１９は円形孔５７を有し、前記内殻１８の送風機取付用凹部１３の開口縁に取り付けられ、
前記外殻１７と内殻１８とに連続して前記送風機取付用凹部１３を外表面に開口する通気部１４を形成し、
前記他側本体１１は、平面方向一側部の平面形状がほぼ半円形で、その平面方向一側部に通気部１６を有し、
前記外殻１７における前記電池収容凹部１５よりも平面方向他側寄りの平面方向他側端に、他側本体１１における前記通気部１６と平面方向反対側の平面方向他側端をヒンジ１２で、前記送風機取付用凹部１３と電池収容凹部１５を開放する開き姿勢と、前記送風機取付用凹部１３と電池収容凹部１５を閉塞し、かつ他側本体１１の通気部１６が送風機取付用凹部１３と対向した閉じ姿勢に開閉自在に連結し、
前記送風機２は、モータ２１でファン２０を回転する形態で、そのモータ２１を前記内殻１８の基板１８ａの凹部５３に取り付け、そのモータ２１の出力軸２１ａを基板１８ａを貫通して送風機取付用凹部１３に突出して前記ファン２０と連結し、前記ファン２０を前記送風機取付用凹部１３内に設け、
前記薬剤３は、シート状の薬剤含浸体に薬剤を含浸した形状で、この薬剤３を、前記一側本体１０の内面板１９の円形孔５７の開口縁に載置し、かつ前記閉じ姿勢の他側本体１１の内側面１１ａで保持して取付け、
前記電池４は、前記電池収容凹部１５内に着脱自在に取付けたことを特徴とする送風式薬剤拡散装置。
【請求項２】
装置本体１の側面における中間部にフック係止部６０を設け、前記装置本体１の一側本体１０の表面における平面方向他側部に、略Ｌ字状の取付用片６３を設け、この取付用片６３に治具取付用の穴６１を形成し、
吊り下げ用治具６４は、前記フック係止部６０に係止するフック６５と、前記穴６１に嵌合する嵌合部６６を有し、
前記フック６５をフック係止部６０に係止して吊り下げ用治具６４を装置本体１に取付けることで、その吊り下げ用治具６４で装置本体１を吊り下げ支持でき、前記嵌合部６６を穴６１に嵌合して吊り下げ用治具６４を装置本体１に取付けることで、前記装置本体１を平面方向一側部が上向きとして立てかけて設置した際に、その吊り下げ用治具６４を装置本体１の倒れ防止治具として利用できるようにした請求項１記載の送風式薬剤拡散装置。
【発明の詳細な説明】
【技術分野】
【０００１】
本発明は、芳香剤、消臭剤、殺菌剤、殺ダニ剤、害虫あるいは害獣忌避剤、殺虫剤または害虫の成長制御剤、吸血行動阻止剤などで、揮散性の薬剤を、送風機の風の力で大気に揮散、拡散させる送風式薬剤拡散装置に関するものである。
【背景技術】
【０００２】
特許文献１に開示された送風式薬剤拡散装置が知られている。
この送風式薬剤拡散装置は、装置本体内に、送風機と薬剤容器と電源収納体を設けたもので、その送風機はファンとモータを有し、薬剤容器には揮散性の薬剤が収納され、電源収納体には電池が収容されている。
そして、モータでファンを回転することで薬剤容器に空気を流通して揮散性の薬剤を大気に揮散、拡散する。
【０００３】
【特許文献１】特許公開２００２−２９１３９２号公報
【発明の開示】
【発明が解決しようとする課題】
【０００４】
前述した従来の送風式薬拡散装置においては、使用によって揮散性の薬剤の薬効がなくなると共に、電池が寿命となるので、その薬剤、電池を交換できるようにしている。
例えば、電源収納体に電池を着脱自在に収容すると共に、その電源収納体に薬剤容器を着脱自在に取付け、その電源収納体を装置本体に着脱自在に取付けた形態とし、その電源収納体を装置本体から取り外すことで、薬剤容器、電池を交換できるようにしている。
【０００５】
このために、薬剤容器、電池を交換するために複数の部材を着脱自在に連結しているから、構造が複雑でコストが高いものとなる。
また、装置本体から電源収納体を取り外し、その状態で電源収納体から薬剤容器、電池を取り出して交換するので、その作業が面倒であるし、装置本体と電源収納体が分離するためにどちらか一方を紛失する恐れがある。
また、装置本体に送風機のモータが設けられているので、このモータと電源収納体に収容した電池をコードで接続できないから、両者を電気的に接続する構造が複雑である。
【０００６】
また、薬剤は、通気性を有する薬剤容器に、薬剤を含浸した粒状の薬剤含浸体を多数収容した形態で、その薬剤は厚い。
このために、装置本体が厚くなってしまう。
【０００７】
本発明は、前述の課題を解決し、薬剤、電池を交換できるようにするための構造が単純でコストが安く、その薬剤、電池の交換作業が容易で、送風機のモータと電池を電気的に簡単に接続でき、しかも全体を薄くできるようにした送風式薬剤拡散装置を提供することを目的とする。
【課題を解決するための手段】
【０００８】
第１の発明は、一側本体１０と他側本体１１をヒンジ１２で開閉自在に連結した平面方向一側部の平面形状がほぼ半円形の装置本体１と、この装置本体１内に設けた送風機２、薬剤３、電池４を備えた送風式薬剤拡散装置において、
前記一側本体１０は、外殻１７と、この外殻１７内に嵌め込んで取り付けた内殻１８と、この内殻１８に取り付けた内面板１９を備え、
前記外殻１７は表面板１７ａと側面板１７ｂで平面方向一側部の平面形状がほぼ半円形の皿形状で、
前記内殻１８は基板１８ａと側面板１８ｂで、平面方向一側部と中間部とに亘って平面形状が円形の送風機取付用凹部１３を有し、かつその基板１８ａにおける送風機取付用凹部１３を形成する部分には前記表面板１７ａに向けて開口した凹部５３を有し、
前記内殻１８の平面方向他側部と前記外殻１７の平面方向他側部とで前記送風機取付用凹部１３と平面方向に離隔した電池収容凹部１５を形成し、
前記内面板１９は円形孔５７を有し、前記内殻１８の送風機取付用凹部１３の開口縁に取り付けられ、
前記外殻１７と内殻１８とに連続して前記送風機取付用凹部１３を外表面に開口する通気部１４を形成し、
前記他側本体１１は、平面方向一側部の平面形状がほぼ半円形で、その平面方向一側部に通気部１６を有し、
前記外殻１７における前記電池収容凹部１５よりも平面方向他側寄りの平面方向他側端に、他側本体１１における前記通気部１６と平面方向反対側の平面方向他側端をヒンジ１２で、前記送風機取付用凹部１３と電池収容凹部１５を開放する開き姿勢と、前記送風機取付用凹部１３と電池収容凹部１５を閉塞し、かつ他側本体１１の通気部１６が送風機取付用凹部１３と対向した閉じ姿勢に開閉自在に連結し、
前記送風機２は、モータ２１でファン２０を回転する形態で、そのモータ２１を前記内殻１８の基板１８ａの凹部５３に取り付け、そのモータ２１の出力軸２１ａを基板１８ａを貫通して送風機取付用凹部１３に突出して前記ファン２０と連結し、前記ファン２０を前記送風機取付用凹部１３内に設け、
前記薬剤３は、シート状の薬剤含浸体に薬剤を含浸した形状で、この薬剤３を、前記一側本体１０の内面板１９の円形孔５７の開口縁に載置し、かつ前記閉じ姿勢の他側本体１１の内側面１１ａで保持して取付け、
前記電池４は、前記電池収容凹部１５内に着脱自在に取付けたことを特徴とする送風式薬剤拡散装置である
【０００９】
第２の発明は、第１の発明において装置本体１の側面における中間部にフック係止部６０を設け、前記装置本体１の一側本体１０の表面における平面方向他側部に、略Ｌ字状の取付用片６３を設け、この取付用片６３に治具取付用の穴６１を形成し、
吊り下げ用治具６４は、前記フック係止部６０に係止するフック６５と、前記穴６１に嵌合する嵌合部６６を有し、
前記フック６５をフック係止部６０に係止して吊り下げ用治具６４を装置本体１に取付けることで、その吊り下げ用治具６４で装置本体１を吊り下げ支持でき、前記嵌合部６６を穴６１に嵌合して吊り下げ用治具６４を装置本体１に取付けることで、前記装置本体１を平面方向一側部が上向きとして立てかけて設置した際に、その吊り下げ用治具６４を装置本体１の倒れ防止治具として利用できるようにした送風式薬剤拡散装置である。
【発明の効果】
【００１０】
請求項１に係る発明によれば、一側本体１０に対して他側本体１１をヒンジ１２を中心として開き姿勢とすることで、その一側本体１０に取付けた薬剤３、電池４を取り出したり、再び取付けたりすることができ、その薬剤３、電池４を交換できるようにするための構造が単純でコストが安い。
また、他側本体１１を開き姿勢とすることで、薬剤３を一側本体１０から容易に取り出し、再び取付けできるし、電池収容凹部１５が開放して電池４を容易に取り出し、再び取付けできるから、薬剤３、電池４の交換作業が容易であるし、その交換作業時に一側本体１０と他側本体１１がヒンジ１２で連結されているから、それらを紛失することもない。
しかも、送風機２のモータ２１と電池４が一側本体１０に取付けてあるから、それらをコードで接続することが可能であり、モータと電池を電気的に簡単に接続できる。
さらに、内殻１８の凹部５３にモータ２１を収容して取付けた状態で、その内殻１８を外殻１７内に嵌合して取付け、この後にファン２０を取付け、その後に内面板１９を取付けることで一側本体１０に送風機２を取付けできるから、その組立作業が容易であると共に、モータ２１が外殻１７によって外部から目視されずに外観の見栄えが良い。
【００１１】
また、薬剤３の厚さが薄いと共に、その薬剤３と電池４が厚さ方向に重なり合うことがなく、全体を薄くすることができる。
【００１２】
請求項２に係る発明によれば、吊り下げ用治具６４を用いて吊り下げて使用できるし、床やテーブル等に立てかけて使用することができる。
【発明を実施するための最良の形態】
【００１３】
図１〜図４に示すように、装置本体１と、この装置本体１内に設けた送風機２、薬剤３、電池４等で送風式薬剤拡散装置を構成している。
前記装置本体１は一側本体１０と他側本体１１をヒンジ１２で開閉自在に連結してある。
前記一側本体１０は、平面大きさに比べて厚さ寸法が著しく小さい、つまり薄い板状で、送風機取付用凹部１３と、この送付機取付用凹部１３に開口した通気部１４と、電池収容凹部１５を有し、その送風機取付用凹部１３と電池収容凹部１５は一側本体１０の内側面１０ａにそれぞれ開口していると共に、平面方向に離隔して厚さ方向に重ならないようにしてある。前記通気部１４は送風機取付用凹部１３を一側本体１０の外表面１０ｂに開口している。
前記他側本体１１は、平面大きさに比べて厚さ寸法が著しく小さい、つまり薄い板状で、前記送風機取付用凹部１３と電池収容凹部１５をそれぞれ閉塞する閉じ姿勢と、前記各凹部を開放する開き姿勢に開閉自在で、前記一側本体１０の送風機取付用凹部１３と対向した部分に通気部１６を有する。
【００１４】
前記送風機２は、ファン２０とモータ２１を備え、そのファン２０とモータ２１が一側本体１０の送風機取付用凹部１３内に収容して取付けられ、他側本体１１を閉じ姿勢としモータ２１でファン２０を回転すると一側本体１０の通気部１４と他側本体１１の通気部１６に亘って空気が流通するようにしてある。
例えば、他側本体１１の通気部１６から空気を吸い込み、その空気を一側本体１０の通気部１４より大気に吐出する。なお、この逆であっても良い。
【００１５】
前記薬剤３は、シート状の薬剤含浸体に薬剤を含浸したもので、前記一側本体１０の内側面１０ａにおける送風機取付用凹部１３の開口縁に載置され、他側本体１１を閉じ姿勢とすると他側本体１１の内側面１１ａで保持される。
前記電池４は一側本体１０の電池収容凹部１５に着脱自在に取付けられる。
【００１６】
このようであるから、一側本体１０に対して他側本体１１を開き姿勢とすることで、薬剤３、電池４を取り出したり、取り付けたりして交換できる。
また、一側本体１０に対して他側本体１１を閉じ姿勢とし、モータ２１でファン２０を回転することで、薬剤３に空気が流通して空気とともに薬剤を大気に拡散できる。
【００１７】
また、装置本体１は、平面大きさに比べて厚さ寸法が著しく小さい、つまり薄い板状である。また、平面大きさはファン２０、電池４の平面大きさよりも若干大きい程度、つまり、装置本体１の内部にファン２０、電池４を収容する以外の平面方向スペース（無駄な平面方向のスペース）がない平面大きさである。
よって、装置本体１が薄型でコンパクトになり、送風式薬剤拡散装置が薄型でコンパクトにすることができる。
したがって、取り扱いが容易である。また、製造用の金型が小型となるし、製造するための原材料が少なくなって製造コストを安くできる。
【００１８】
具体的には、前記装置本体１の平面形状は、ほぼ半円形の一側部１ａと、ほぼ矩形状の他側部１ｂと、この一側部１ａと他側部１ｂを連結する中間部１ｃによって全体がほぼ矩形で、かつ一側部がほぼ半円形である。
前記一側部１ａの平面大きさはファン２０の外径よりも若干大きく、他側部１ｂは電池４の平面大きさよりも若干大きく、中間部は平面ハ字形状であって、装置本体１の内部に平面方向の無駄なスペースが無いようにしてある。
【００１９】
前記装置本体１の表面形状は凹部と凸部を有してアクセントのある形状で、使用者に視覚的にアピールする形態としてある。
つまり、従来の装置本体１の表面形状は凹凸の無い滑らかに連続した形状で、使用者に視覚的にアピールできない形状であった。
【００２０】
前記通気部１４は装置本体１の一側部１ａだけではなく中間部１ｃの両側面にも形成され、薬剤を多方向に向けて拡散できる。
【００２１】
次に、各部材の具体形状を説明する。
前記一側本体１０は、外殻１７と内殻１８と内面板１９を有し、その外殻１７は表面板１７ａと、その表面板１７ａに沿って設けた側面板１７ｂで皿形状で、その側面板１７ｂに通気用切欠部５０が形成されていると共に、第１係止受部５１と第２係止受部５２が形成されている。
前記内殻１８は基板１８ａと、その基板１８ａに設けた側面板１８ｂを有し、前記外殻１７内に嵌め込んで取付けられる。
前記基板１８ａには外殻１７の表面板１７ａに開口した凹部５３が形成してあり、その凹部５３に前記モータ２１が収容して取付けてあり、その出力軸２１ａが基板１８ａを貫通して突出し、かつファン２０が取付けてある。そのファン２０はシロッコファンとしてあるが、プロペラファンなどでも良い。
前記側面板１８ｂには複数の送風ガイド５４が設けてあると共に、前記第１係止受部５１に係止する係止部５５が設けてある。
前記内面板１９は円形凹陥部５６と、円形孔５７を有すると共に、係止部５８を有し、その係止部５８を前記外殻１７の第２係止受部５２に係合することで取付けられて前記ファン２０を覆う。
【００２２】
前述のようであるから、内殻１８の凹部５３にモータ２１を収容して取付けた状態で、その内殻１８を外殻１７内に嵌合して取付け、この後にファン２０を取付け、その後に内面板１９を取付けることで一側本体１０に送風機２を取付けできるから、その組立作業が容易であると共に、モータ２１が外殻１７によって外部から目視されずに外観の見栄えが良い。
また、外殻１７と内殻１８で電池収容凹部１５を形成している。
【００２３】
前記他側本体１１は表面板１１ｂと、その表面板１１ｂに設けた側面板１１ｃで皿形状で、その側面板１１ｃに設けた係止部５９が内殻１８の係止部５５に係合すると共に、表面板１１ｂにおける円形突起部１１ｄに通気部１６、例えば複数のスリットが形成してあ
る。
【００２４】
前記一側本体１０の外殻１７の側面板１７ｂの平面方向中間部と他側本体１１の側面板１１ｃの平面方向中間部（つまり、装置本体１の中間部１ｃを形成する部分）には図１に示すように切欠部１７ｃ，１１ｅが対向して形成され、その切欠部１７ｃ，１１ｅで通気部１４を形成している。
【００２５】
前記薬剤３は、一側面が開口した円形容器３０と、この円形容器３０内に設けた円形の薬剤含浸体３１と、前記円形容器３０内に嵌合した円形の蓋３２を備え、円形容器３０、蓋３２は通気部３０ａ，３２ａを有する。
前記薬剤含浸体３１はシート状の薬剤含浸体に薬剤を含浸させた円板形状である。
前記円形容器３０が内面板１９の円形凹陥部５６に嵌合するように載置して取付けられ、他側本体１１を閉じ姿勢とすると円形突起部１１ｄが円形の蓋３２と対向するようにしてある。
これによって、円形容器３０（薬剤３）をしっかりと装置本体１内に取付けできる。
【００２６】
前記送風機２と電池４が平面方向に離隔して厚さ方向には重なり合うことがないと共に、薬剤３はシート状の薬剤含浸体に薬剤を含浸したものを用いているから厚さが薄い。
これらが相俟って、全体が薄い送風式薬剤拡散装置とすることができる。
【００２７】
前記装置本体１の側面には吊り下げ用のフック係止部６０が設けてあると共に、底面には治具取付用の穴６１が形成してある。
例えば、装置本体１の一側本体１０における内殻１８の側面板１８ｂにＵ字片６２が一体的に設けられて前述のフック係止部６０としてある。
前記装置本体１の一側本体１０における外殻１７の表面板１７ａに略Ｌ字状の取付用片６３が一体的に設けてあり、この取付用片６３に前述の穴６１が形成してある。
吊り下げ用治具６４は、図５に示すように、前記フック係止部６０に係止するフック６５と、図６に示すように前記取付用片６３に嵌合する嵌合部６６を有する。
【００２８】
このようであるから、図５に示すように吊り下げ用治具６４で吊り下げ、その吊り下げ用治具６４を人間のベルトに掛けることで、本発明の送風式薬剤放散装置を人間が携帯して使用できる。
また、図６に示すように吊り下げ用治具６４の取付用片６６を穴６１に嵌合し、その吊り下げ用治具６４を装置本体１の表面（一側本体１０）の表面板１０ａと略直角とすることで、その吊り下げ治具６４を倒れ防止治具として利用することによって本発明の送風式薬剤放散装置を床、テーブルなどに立てかけて設置して使用できる。
【００２９】
なお、前記フック係止部６０に紐を連結し、その紐で壁等に吊り下げたり、身体や被着物に吊り下げるようにしても良い。
また、前述のように薄型でコンパクトであるから、子供から大人まで容易に取り扱うことができるし、腰、首、手足などに取付けて使用することができる。
【００３０】
図１と図４において、符号５はスイッチ、符号６はランプであり、そのスイッチ５をＯＮ，ＯＦＦすることでモータ２１に通電、通電中止されると共に、ランプ６が点灯、消灯する。
【００３１】
本発明に使用するシート状の薬剤含浸体としては、通気性の大きい紙、布、織物、不織布やネットなどが例示される。また、載置状態の安定性を考えると、シート状の薬剤含浸体を容器、蓋で堅持したり、あるいはシート状の薬剤含浸体の外周など一部箇所を樹脂等でコートし堅持して用いることが望ましい。さらに、携帯性を考えると、その厚みを２〜５ｍｍ、面積を７００〜３，０００ｍｍ２、と薄く小さくすることが好ましい。
【００３２】
本発明において使用される薬剤としては、芳香剤、消臭剤、殺菌剤、殺ダニ剤、害虫あるいは害獣忌避剤、殺虫剤または害虫の成長制御剤、吸血行動阻止剤などで、揮散性のものが用いられる。
そして、上記の薬剤で、殺虫を目的として使用する場合、従来より用いられている各種揮散性殺虫剤を用いることができ、ピレスロイド系殺虫剤、カーバメート系殺虫剤、有機リン系殺虫剤等を挙げることができる。一般に安全性が高いことからピレスロイド系殺虫剤が好適に用いられる。
さらに、微量で効力を発揮する高活性のメトフルトリン、トランスフルトリン、エムペントリン、テラレスリンが薬剤含浸体を薄く、また小さくできることからより好ましい。
【００３３】
本発明において、モータ２１の電源としては、アルカリ単５電池、アルカリ単４電池、アルカリ単３電池、アルカリ単２電池、アルカリ単１電池、マンガン単５電池、マンガン単４電池、マンガン単３電池、マンガン単２電池、マンガン単１電池、角電池、リチウム電池、リチウムボタン電池等の電池を単一、もしくは複数組み合わせて用いることが例示される。
【００３４】
本発明のファン２０として遠心式ファンを用いた場合には、その遠心式ファンの大きさは次のようにすることが好ましい。
遠心式ファンの外径Ｄは３０ｍｍ〜６０ｍｍの範囲が良く、３０ｍｍより小さくなると回転による遠心力が得られず、ファンを高回転でまわす必要がでてエネルギー効率が悪くなる。
また、内部空間体積自体も小さくなるため、モータ２１の選択肢が減る。６０ｍｍより大きくなると、装置自体が大型化し携帯性が悪くなる。
遠心式ファンの外径Ｄと内径ｄの比Ｄ／ｄは１．０５〜１．６の範囲が良く、１．０５より下になるとファンブレードの幅が小さくなり、十分な風を起こすことができなくなる。また、１．６を超えるとファンブレードの回転抵抗が大きくなり、エネルギー効率が悪くなる。
遠心式ファンの羽根実効高さｈは２ｍｍ〜１０ｍｍの範囲が良く、２ｍｍより下になると羽根面積が不足し、十分な風を起こすことができなくなる。１０ｍｍを超えると小型、薄型化には不適当になり、また回転抵抗が増し、エネルギー効率が悪くなる。
遠心式ファンの内部空間以外にモータを配置すると、風の流入に対しては全く悪影響を及ぼさないが、ファンの高さとモータの高さとを足したものが装置の最低高さになり、装置自体を小型、薄型化することができなくなる。
遠心式ファンの内部空間の６０％以上にモータハウジング（図２の凹部５３）を設け、モータ２１を収納すると内部空間が不十分となり、通気量が不十分となり効率が悪くなる。
そこで、遠心式ファンの内部空間の６０％以内にモータハウジング（図２の凹部５３）を設け、モータ２１を収納することにより装置全体を小型、薄型化でき、かつ効率良く薬剤の拡散ができる。
モータハウジング（図２の凹部５３）の収納比率は６０％により近いことが望ましい。
【図面の簡単な説明】
【００３５】
【図１】本発明の実施の形態を示す送風式薬剤拡散装置の閉じ状態の斜視図である。
【図２】図１の縦断面図である。
【図３】図１の背面図である。
【図４】本発明の実施の形態を示す送風式薬剤拡散装置の開き状態の斜視図である。
【図５】吊り下げ使用状態の斜視図である。
【図６】設置使用状態の側面図である。
【符号の説明】
【００３６】
１…装置本体、２…送風機、３…薬剤、４…電池、１０…一側本体、１１…他側本体、１２…ヒンジ、１３…送風機取付用凹部、１４…通気部、１５…電池収容凹部、１６…通気部、２０…ファン、２１…モータ、６０…フック係止部、６１…治具取付用の穴、６４…吊り下げ用治具、６５…フック、６６…嵌合部。
【図１】
0004634031.tif 000002
【図２】
0004634031.tif 000003
【図３】
0004634031.tif 000004
【図４】
0004634031.tif 000005
【図５】
0004634031.tif 000006
【図６】
0004634031.tif 000007